(57)【特許請求の範囲】
【請求項１】
生体電磁気シグナル感応素材及び前記素材の両末端を接触する電極を有するセンサー駆動部；周波数発振同調回路及び周波数分配部を有し、前記センサー駆動部及び下記デジタル変換回路部と連結されるアナログ回路部；及びＣＰＵ、ＬＣＤ又は通信モジュールを含む出力部材及び貯蔵部材を有し、前記アナログ回路部と連結されるデジタル変換回路部を含むことを特徴とする診断装置であって、
前記生体電磁気シグナル感応素材が、
ａ）生物体から分離された表皮を乾燥させる段階、
及び
ｂ）乾燥した表皮の静電容量を測定して選別する段階
を含む方法により製造されたことを特徴とする診断装置。
【請求項２】
前記方法が生物体の表皮を水に浸漬する段階を追加的に含むことを特徴とする請求項１に記載の診断装置。
【請求項３】
前記ａ）段階は表皮に０．５ｋｇ／ｃｍ２乃至１０ｋｇ／ｃｍ２の重圧を加えて、１時間乃至４８時間乾燥後、重圧無しで１乃至９６時間乾燥することを特徴とする請求項１に記載の診断装置。
【請求項４】
前記ｂ）段階は乾燥した表皮の静電容量が０．１乃至１００ｐＦであることを選別することを特徴とする請求項１に記載の診断装置。
【請求項５】
前記方法が前記表皮の導電率を測定して選別する段階を追加的に含むことを特徴とする請求項１に記載の診断装置。
【請求項６】
前記導電率は０．０１乃至２０ｎＳであることを特徴とする請求項５に記載の診断装置。
【請求項７】
前記方法が前記表皮の誘電率を測定して選別する段階を追加的に含むことを特徴とする請求項１に記載の診断装置。
【請求項８】
前記誘電率は０．１乃至５０Ｆ／ｍであることを特徴とする請求項７に記載の診断装置。
【請求項９】
前記ｂ）段階の表皮は０．０１乃至１０ｍｍの厚さを有し、０．１乃至１００ｍｍの径を有することを特徴とする請求項１に記載の診断装置。
【請求項１０】
前記生物体より分離された表皮は、生物体の表皮、真皮が変化した鱗、鱗が退化するか又は、角質化された変形物、魚類の鱗、爬虫類の鱗や角鱗層、鳥類又は哺乳動物の皮膚変形物、昆虫のクチクラ、軟体動物のクチクラ、貝類のクチクラ、脊椎動物のクチクラが含まれた鱗、羽毛又は毛、甲殻類の甲殻及び甲殻類の角鱗層からなる群より選ばれたことを特徴とする請求項１に記載の診断装置。
【請求項１１】
前記生物体より分離された表皮は、魚類の鱗であることを特徴とする請求項１に記載の診断装置。
【請求項１２】
前記魚類は鯉、鮒、鮭及びマスからなる群より選ばれたことを特徴とする請求項１１に記載の診断装置。
【請求項１３】
前記生物体より分離された表皮は、爬虫類の鱗又は皮であることを特徴とする請求項１に記載の診断装置。
【請求項１４】
前記爬虫類は亀、スッポン、鰐及び蛇からなる群より選ばれたことを特徴とする請求項１３に記載の診断装置。
【請求項１５】
前記生物体より分離された表皮は、昆虫のクチクラであることを特徴とする請求項１に記載の診断装置。
【請求項１６】
前記昆虫は、カブト虫、イナゴ、黄金虫及びテントウ虫からなる群より選ばれたことを特徴とする請求項１５に記載の診断装置。
【請求項１７】
前記生物体より分離された表皮は、甲殻類の甲殻であることを特徴とする請求項１に記載の診断装置。
【請求項１８】
前記甲殻類は、蟹、エビ及びザリガニからなる群より選ばれたことを特徴とする請求項１７に記載の診断装置。
【請求項１９】
バッテリ及びレギュレータを有する電源回路部を追加して含むことを特徴とする請求項１に記載の診断装置。
【請求項２０】
前記センサー駆動部は、１個乃至１０個の前記生体電磁気シグナル感応素材が具備されることを特徴とする請求項１に記載の診断装置。
【請求項２１】
請求項１に記載の診断装置を利用して、非侵襲的方法で生体電磁気シグナルを測定する方法。
【発明の詳細な説明】
【技術分野】
【０００１】
本発明は生物体の表皮組織を利用した生体電磁気シグナル感応素材及びこれを利用した診断装置に関する。より詳しくは、生物体の表皮組織を利用して、乾燥段階及び選別段階を通じて製造された生体電磁気シグナル感応素材及びこれを利用した診断装置に関する。
【背景技術】
【０００２】
心筋、骨格筋、平滑筋、神経細胞等の生体の全ての細胞は電気を帯びている。この電気は外部刺戟及び細胞損傷により変化し得ることから、この変化を測定することにより、細胞の状態を推し量れる。細胞における電気的変化は、細胞膜の単一チャンネルを通じた電流の変化により測定できるものから多数の細胞の電気的活動の総和に至るまで多様である。このような電気的変化は必然的にNa+、K+、Cl-のようなイオンの細胞内外における変化、アミノ酸、カテコールアミン、ペプチド等のような化学物質における変化を伴う。
【０００３】
既に知られている心電図、心磁図、脳磁気図等もまた、生体の心臓や脳から発生する生体電位を測定して、その疾病の有無を診断する最も普遍化された診断方法である。従って、生体活動の電気及び化学的メカニズムを理解することにより、これと関連した臨床的問題を解決しようとする試みがあった。一例として、多様な疾病を患っている患者等の異常部位（特に、炎症部位）の電気抵抗を測定して、疾病を診断しようとする試みがあった（B. M. Vorochilov, 急性盲腸炎発病時右側腹部に表れた皮膚電気抵抗変化, 医学出版社, p46乃至49, 1978及びB. M. Vorochilov, 腰ディスク脊椎神経筋炎が伝える痛症を表皮の電気抵抗を測定して数値で表わした結果, 医学出版社, p42乃至44, 1982)。さらに、癌細胞の電気的特性に対してその誘電率を測定する試みもあった（ユートンシク他４人、腫瘍組織の誘電率特性、韓国電子波学会論文集第13巻第６号、p566乃至p571, 2002)。
【０００４】
一方、このような人体の異常を人体周辺の磁気場の分布を利用して測定しようとする試みもあった（イーヨンホ等、韓国脳学会誌、Vol.2, No.2, p79乃至90, 2002)。特に、SQUID（超電導陽子干渉素子、Superconducting Quantum Interference Device）を利用した超高感度の磁束計が開発された以降、人体からの微弱な磁界の測定が可能となり、これを利用して、人間の臓器から発生する微弱な磁界を測定して病気を診断しようとする研究が世界各国で活発に進められている（小谷誠、1995、生体磁気計測、コロナ株式会社）。
【０００５】
つまり、健康な人と疾病に罹った人の電気的現象の相違点により、磁気場が分布する様相が変わるとの事実を利用して、人間の疾病を診断しようとする試みが継続している。例えば、胃腸が飲食物を消化させる為には、胃腸の筋肉が収縮と弛緩を繰返しながら動かなければならないが、このような胃腸の運動を調節するのは神経細胞を通じて伝達され、胃腸筋肉に流れる電気信号である。このような電気信号が非正常的な場合、胃腸の筋肉の動きに問題が生じることがあって、その結果として消化不良が生じ得る。前記電気信号が正常的な場合と、非正常的な場合は、胃腸筋肉に流れる電気信号はそれぞれ異なり、磁気場分布も異なるものである。
【０００６】
単に消化不良だけではなく癌、免疫欠乏による疾病や心臓疾患のような別の疾病の場合も同様である。ある臓器周辺の電磁気場がどのように変わるのか、患者と正常人において電磁気場が形成されるパターンがどのように異なるかを検査すれば、どのような疾病に罹っているかが診断できる。このような点等は全て根本的には人体内の電磁気的信号の変化を探索しようとする方法である。
【０００７】
しかしながら、このような生体の電磁気的信号はその信号が微弱であるか、又は信号の変化が微弱な為、これを効率的に利用することはできなかった。
【０００８】
一方、動物の表皮組織は上皮組織の一種にして、動物の皮膚表面をなす組織をいう。これは主に角質層からなり、従来には外部の刺戟から生物体を保護する役割を主にするものとして認識された（大韓皮膚科学会教科書編纂委員会, 皮膚科学(改訂４版), p1-5, 2001)。
【０００９】
人間の場合、表皮に対して生理学的特徴を調査したり、若しくは電子顕微鏡を通じて構造等を観察してみれば、表皮組織は生きている細胞で構成された有核層と、核が無く乾燥して死んだ角質からなる無核層で構成されており、マトリックス層をなしている。誘電体の結晶は、電磁気スペクトルの影響を受けると、光学的特性が変わり、屈折率の数値が変わり、分極上昇（Polarization Constant）の変化が電磁気場に比例するようになるものの、前記の構造により表皮は結晶型誘電体の特徴を有するようになる。
【００１０】
表面にはメラニン等の色素が存在するものの、その内メラニンは表皮の基底層に存在するメラニン形成細胞により生産され、周辺角質形成細胞に転移され、皮膚色を表す。メラニン形成細胞は、表皮と同様に外胚葉より分化された神経能から起源した細胞にして、メラニンを生成して皮膚を紫外線から保護する重要な機能をしている。メラニン形成細胞は樹枝状突起を有する等、神経細胞と形態学的に類似していて、多くの信号伝達物質、成長因子等に対する収容体を共通的に有していて、発生学的起源が神経細胞と同一であることを呈する（バクーキョンチャン, 大韓化粧品学会誌, Vol.25, No.2, p45乃至57, 1999)。さらに、発生過程上表皮は外胚葉（Ectoderm)から分化されるものにして、脳、脊髄、神経のような神経細胞等と同一な根源を有する点で上記の観察を裏付けてくれる。
【００１１】
従って、電磁気信号生成及び伝達等に対する面を中心に表皮特性に対する研究の結果、表皮が単に、外部の刺戟から生物体を保護する役割をするばかりでなく、皮膚から分離された表皮が有機体において、独立的に機能をする別個の生物学的体系（system）である事実が究明され（V. E. Manoilov, 1988, 電気と人間, p184乃至185）、特に、表皮組織は表皮に入射した電磁気波に対して反射、吸収、分散のように多様な反応を呈することが分かるようになった。
【００１２】
このような事実を基に本発明者は表皮が有する物理的、電気的、光学的、光物理学的特性を分析し、有用に活用できる方法を研究をしていた時、表皮が外部電磁気信号を受ける場合、その電気的特性が変化され、生体電磁気感応素材として機能することを究明し、これを利用して生体電磁気感応素材を製造して本発明を完成した。
【発明の開示】
【発明が解決しようとする課題】
【００１３】
従って、本発明の目的は生物体の表皮を利用した生体電磁気シグナル感応素材を提供することである。                            
【００１４】
本発明のさらに他の目的は生物体の表皮を利用した生体電磁気シグナル感応素材の製造方法を提供することである。
【００１５】
本発明のさらなる他の目的は生物体の表皮を利用した生体電磁気シグナル感応素材を利用した診断装置を提供することである。
【課題を解決するための手段】
【００１６】
前記のような目的を達成する為に、本発明は生物体の表皮を利用した生体電磁気シグナル感応素材を提供する。
【００１７】
本発明のさらに他の目的を達成する為に、生物体の表皮を利用した生体電磁気シグナル感応素材の製造方法を提供する。
【００１８】
本発明のさらに他の目的を達成する為に、生物体の表皮を利用した生体電磁気シグナル感応素材を利用した診断装置を提供する。
【００１９】
以下、本発明の内容を詳細に説明する。
【００２０】
本発明の生体電磁気シグナル感応素材は生物体の表皮を利用して、乾燥段階及び選別段階を経て製造される。
【００２１】
本発明で表皮とは、生物体の表皮組織、真皮が変化した鱗、鱗が退化したり、又は、角質化された変形物、魚類の鱗、爬虫類の鱗や角鱗層、鳥類又は哺乳類本体の皮膚変形物、昆虫のクチクラ、軟体動物のクチクラ、貝類のクチクラ、脊椎動物のクチクラが含まれた鱗、羽毛又は毛、甲殻類の甲殻及び甲殻類の角鱗層をいう。これらは細胞組織、細胞外組織等が結合組織により、非線形的不調和をなし、不定形的に結合され、一定したマトリックスを形成し、細胞内外、主に細胞外にメラニン等の色素が沈着されている。
【００２２】
本発明の素材製作の為の表皮としては、前記表皮層が制限なく使用できるものの、魚類の鱗、爬虫類の鱗又は皮、昆虫類のクチクラ、さらに甲殻類の甲殻が好ましい。より好ましくは、フナの鱗、鯉の鱗、鮭の鱗、鱒の鱗、亀の鱗、スッポンの鱗、鰐の鱗、蛇の皮、カブト虫のクチクラ、イナゴのクチクラ、黄金虫のクチクラ、テントウ虫のクチクラ及び蟹の甲殻、海老の甲殻、ザリガニの甲殻が使用され得る。
【００２３】
表皮は各個体の死体から好ましく分離することができるが、その分離方法は特に限定はされないものの、O℃乃至35℃の蒸留水又は水道水のような水で１日乃至30日間浸漬後分離するのが好ましい。浸漬段階は表皮を均等に水和することができ、それにより分離の際表皮の損傷を減少する。以降、浸漬された表皮は物理的な力を加えて好ましく分離することができる。
【００２４】
乾燥段階は表皮組織が有するマトリックス構造が損傷しないようにし、表皮の電気的性質を安定化するようにする為の段階にして、乾燥方法には、特に制限はされないものの、人為的方法で電気ヒータ（Heater）等を利用した急激な乾燥は、表皮組織の損傷をもたらし得ることから、直射光線が及ばない通風が良好な場所で表皮を乾燥させるのが好ましい。この際、表皮を平坦に広げておいたり、又は、紙や布の間に表皮が折込まれないように平坦に広げて、0.5kg/cm2乃至10kg/cm2の重圧を加えて、直射光線が及ばない陰の室温(25℃)で１時間乃至48時間乾燥後、直射光線が及ばない陰の室温で水分が完全に除去されるまで重圧無しで乾燥する。重圧無しで実施する乾燥時間は特に制限はされないものの、１時間乃至96時間、好ましくは、24時間乃至48時間乾燥する。
【００２５】
乾燥が不十分で水分が残っている場合には導電率、誘電率と静電容量が減少するようになり、このような減少により測定の度毎の静電容量数値の変化をもたらすことにより、全体的に素材の信頼度を低下させる。
【００２６】
前記乾燥段階を経た表皮は選別段階を経る。選別段階は前記乾燥段階を経た表皮を径0.1mm乃至100mmの円形に切断し、各表皮の静電容量を測定して、その範囲が0.1pF乃至100pF内の表皮を選別することであり、選別された表皮は１個乃至10個を重ねて素材として使用する。この際、表皮を重ねることの意味は複数個の表皮を表皮面に垂直方向に互いに密着させて張付けた後で、一つのユニットのように使用することを意味する。特に、本発明の素材の電磁気感応能力は表皮のマトリックス層とメラニン結晶体が良く形成されており、厚さが0.01乃至10mmである部分を１個を使用するか又は２個乃至10個を重ねて利用することにより、より効率的に達成することができるので、表皮のマトリックス層とメラニン結晶体が良く形成されていて、前記厚みに該当する部分のみを予め選別して選別段階を経ることが好ましい。特に素材２個乃至10個を重ねて利用する場合、生体電磁気をより容易に感応することができて好ましい。
【００２７】
従って、本発明の生体電磁気シグナル感応素材は、生物体の表皮を蒸留水又は水道水のような水に浸漬する段階を追加的に含む方法により製造される。この際、浸漬する段階は上述した方法が利用される。
【００２８】
さらに、本発明の生体電磁気シグナル感応素材は、表皮の導電率を測定して選別する段階を追加的に含む方法により製造される。この際、導電率の範囲は0.01乃至20nSであることが好ましい。
【００２９】
さらに、本発明の生体電磁気シグナル感応素材は、表皮の誘電率を測定して選別する段階を追加的に含む方法により製造される。この際、誘電率はε(誘電率）=c・d/εo・Aの式により計算した(Cは導電率、dは生体電磁気シグナル感応素材の厚さ、εoは8.85×10-12F/m、Aは電極の面積）。誘電率は0.1乃至50F/mであることが好ましい。
【００３０】
前記のような方法で製造された素材は、電磁気、特に生体電磁気シグナル感応素材として利用できる。
【００３１】
一方、前記のような方法で製造された本発明の生体電磁気シグナル感応素材を利用して診断装置（センサー）を製造することができる。診断装置は本発明の生体電磁気シグナル感応素材及び、前記素材の厚さ方向に両末端を接触する電極を有するセンサー駆動部、周波数発生、調節等を担当し、周波数発振同調回路及び周波数分配部を有する前記センサー駆動部と連結されるアナログ回路部、周波数信号を分析、表示し、CPU、LCD又は通信モジュールを含む出力部材及び、貯蔵部材を有する前記アナログ回路部と連結されるデジタル変換回路部を含む。
【００３２】
本発明の診断装置のセンサー駆動部は、本発明の生体電磁気シグナル感応素材及び前記素材の両末端と接触する電極を有する。前記素材は前記製造方法により製造された素材を使用する。電極は前記素材を診断装置の回路に連結する為のものであって、通常的な電極、好ましくは、銀又は銅電極を使用することができ、前記素材の厚さ方向に電極が接触される。
【００３３】
アナログ回路部は周波数発振同調回路及び周波数分配部を有し、前記センサー駆動部に連結される。周波数発振同調回路は特定の基本周波数を発振する周波数発生部、センサー駆動部を経た基準周波数を調節する周波数調節部及び基準周波数の大きさを増幅する周波数増幅部からなり、周波数分配部はデジタル変換回路部で処理できるように周波数を分配する。
【００３４】
デジタル変換回路部は基準周波数を測定し、各種演算を処理するCPU、CPUにより処理された結果を表示する出力部材及び前記結果を貯蔵し、貯蔵部材を有する。出力部材は通常のLCD窓又は通常の通信モジュールが使用されることもあって、貯蔵部材は通常のRAM及びROMが使用されることもあり得る。
【００３５】
本発明の診断装置はアナログ回路部及び、デジタル変換回路部に電源を供給する電源回路部を追加して含め得る。電源回路部は通常のバッテリ及び前記アナログ回路部及びデジタル変換回路部に必要な電圧を調節するレギュレータを有し、通常のバッテリ充電回路を追加して含め得る。
【００３６】
前記診断装置を使用して測定しようとする部位に接触させた後、診断装置を作動させる方法で生体電磁気シグナルを測定できる。つまり、測定は非侵襲的になされ、非侵襲的に測定されることから、薬物注入、放射線露出等のような診断の副作用が生じない。測定された結果より得られる情報を分析して、癌又は炎症反応が伴われる各種疾病を診断できる。
【００３７】
本発明の一実施例では表皮を乾燥段階及び選別段階を通じて生体電磁気シグナル感応素材を製造した。
【００３８】
一方、本発明の他の実施例では、前記素材を利用して診断装置を製造した。
【発明の効果】
【００３９】
本発明の素材は生体電磁気シグナルを感応する効果を有する。従って、本発明の生体電磁気シグナル感応素材は、非侵襲的に生体電磁気シグナルを感知する診断装置の製造に利用することができ、癌、免疫欠乏による炎症疾病等で生体電磁気が変換される現象の診断に有効に使用できる。
【発明を実施するための最良の形態】
【００４０】
本発明の診断装置の一例のブロック構成図が図１に図示されている。これを説明すれば、図１に図示されている本発明の診断装置は、デジタル変換回路部１とアナログ回路部２、電源回路部３及びセンサー駆動部４からなされている。デジタル変換回路部１は図２に図示された通り、CPU１１とフラッシュメモリ１２、SDRAM１３、LCD１５、LCD１５の明るさを調節するLCDインバータ１４、PWMモジュール１６、周波数入力部１７、チャンネル選択部１８及び外部との通信の為の通信モジュール１９で構成される。アナログ回路部２は図３に図示した通り、８チャンネルマルチプレクサ２２、センサー選択部２３、周波数調節部２４、周波数発生部２５、周波数信号増幅部２６及び周波数分配部２７で構成される。電源回路部３はアダプター３１、バッテリ３４、バッテリ充電回路３３、バッテリ充電測定回路３２、3.3ボルトレギュレータ３５、2.5ボルトレギュレータ３６及び５ボルトレギュレータ３７で構成される。
【００４１】
各部分別動作を説明すると、先ずアナログ回路部２の周波数発生部２５は基本周波数を発振させ、これにより診断前の状態でセンサー駆動部４の生体電磁気シグナル感応素材の静電容量成分を基準にし、図６に図示した通りの、生体電磁気シグナル感応素材固有の基準周波数が発生するようになる。ここで、周波数発生部２５がより精密な基準周波数が発生できるように、周波数調節部２４を通じて診断前状態の基準周波数を調節する。特に、周波数調節部２４はセンサー駆動部４の生体電磁気シグナル感応素材が多チャンネルの場合発生する誤差、電子部品の基本的な製造誤差、測定位置の環境的誤差等を最小化して周波数発振同調回路２０で発生される周波数を生体電磁気シグナル感応素材の基準周波数に調整する。
【００４２】
前記センサー駆動部４の生体電磁気シグナル感応素材は、単チャンネルから多チャンネルまで多様に製作できるものの、多チャンネルの場合、チャンネル選択の為の８チャンネルマルチプレクサ２２とセンサー選択部２３を具備しなければならない。
【００４３】
このように周波数発生部２５から発生した周波数信号は、デジタル変換回路部１に直ぐに入力するには微弱な為、周波数信号増幅部２６により、デジタル変換回路部１で使用できるレベルまで増幅する。周波数信号増幅部２６により増幅された信号は数Mhz帯域の速い周波数である為、周波数分配部２７によりデジタル変換回路部１で測定可能な周波数に分配される。
【００４４】
さらに、処理された周波数信号はデジタル変換回路部１の周波数入力部１７、及びチャンネル選択部１８に入力される。このように周波数入力部１７を通じてCPU１１に入力される周波数信号はCPU１１により周波数値として計算される。
【００４５】
本発明によるセンサー駆動部４の生体電磁気シグナル感応素材製作の際、生体電磁気シグナル感応素材の製造工程により、生体電磁気シグナル感応素材の基本静電容量値が少しずつ異なる。従って、アナログ回路部２の部分で基本周波数値を図６のように調整しても静電容量値の変化により、チャンネル毎の基準周波数値が少しずつ異なる。
【００４６】
従って、図７に図示したアルゴリズムにより周波数チャンネル選択部１８を通じて各チャンネルを順に選択した後、周波数調節部（Voltage Control Oscillation）１６ａを利用して、各チャンネルの生体電磁気シグナル感応素材の基準周波数値を順に合わせた後、CPU１１がSDRAM１３領域に各チャンネルの値をチャンネル毎に、順に貯蔵する基準周波数調整作業を行う。その後、生体電磁気シグナル感応素材の各チャンネルのデータの周波数を読むたびに周波数調節部１６ａに貯蔵されたデータを出力して動作を繰返す。
【００４７】
測定の際、生体電磁気シグナル感応素材に、電磁気シグナル（信号）が感知（入力）され、センサー駆動部４の各チャンネルの生体電磁気シグナル感応素材静電容量変位の範囲が発生すると、図６に図示したような基準周波数において、周波数が変化される。CPU１１が周波数値を算出し、CPU１１はフラッシュメモリ１２領域内にデータを貯蔵できる領域を割当て、測定した周波数（測定周波数）を貯蔵する。このような過程は基準周波数において、測定周波数の差を変位周波数（Delta Frequency)と称してCPU１１が変位周波数を算出し、フラッシュメモリ１２領域内にデータが貯蔵できる領域を割当て、変位周波数を貯蔵することもできる。
【００４８】
好ましくは、CPU１１は周波数調節部１６ａの駆動を制御して、ブザー１６ｂに加えられる周波数を調節することにより、周波数又は変位周波数により、ブザー１６ｂがそれぞれ異なる音が出せる。さらに、好ましくは、CPU１１は周波数又は変位周波数により出力部材に相異する色で表示することができる。つまり、選択的に緑色(Green)、黄色(Yellow)、赤色（Red)の内、いずれかの色で表示することができる。従って、本発明の診断装置でLCD１５はCPU１１が周波数又は変位周波数により、判断した緑色(Green)、黄色(Yellow)、赤色（Red)を選択的に出力する。
【００４９】
診断装置の電源を入力して診断装置を駆動すれば、基準周波数が設定され、診断が始まると、被検対象者の健康状態によって周波数が測定され、基準周波数と測定周波数間の差、つまり、変位周波数が算出される。このような測定周波数又は変位周波数の大きさによって、被検対象者の健康状態が判断できる。従って、測定周波数又は変位周波数の大きさは本発明の素材測定の際の静電容量値の変化に比例する値であることから、素材の静電容量値の変化によって被検対象者の健康状態が判断できる。
【００５０】
CPU１１には、無線通信モジュール１９ａとUSBポート１９ｂ、RS-232C１９ｃ等からなる通信モジュール１９が接続されていて、周波数又は変位周波数をPC等の外部処理装置に転送できる。多様な通信方式により外部処理装置に転送されたデータは表示又は貯蔵、出力及びデータベース化できる。
【００５１】
次に、アナログ回路部２で周波数（信号）が処理される過程を説明する。
【００５２】
先ず、人体等の被検対象生物体の生体電磁気シグナルがセンサー駆動部４の生体電磁気シグナル感応素材に感知（入力）されると、前記素材内の静電容量が変化する。このような静電容量の変化値を測定する為に、静電容量値を周波数値に変化させる為に周波数発振同調回路２０が使用される。周波数発振同調回路２０は図３に図示された通り、周波数調節部２４、周波数発生部２５及び周波数信号増幅部２６で構成され、周波数発振同調回路２０からセンサー駆動部４の生体電磁気シグナル感応素材を基準にして、図６に図示されたような生体電磁気シグナル感応素材固有の基準周波数が発振するようになる。
【００５３】
被検対象生物体の生体電磁気シグナルが、センサー駆動部４の生体電磁気シグナル感応素材に感知（入力）されると、前記素材の静電容量値が変化（増加）する。前記素材の静電容量値が増加すると、周波数発振同調回路２０から発生され、アナログ回路部２よりデジタル変換回路部１に入力される周波数は減少するようになる。この際、発振された周波数の振幅が微弱な為、デジタル変換回路部１が測定できるように、周波数信号増幅部２６が一定レベルまで増幅する。
【００５４】
センサー駆動部４の生体電磁気シグナル感応素材は、単チャンネルから多チャンネルまで多様な為、多チャンネルを全て測定する為に、８チャンネルマルチプレクサ２２とセンサー選択部２３を使用する。
【００５５】
アナログ回路部２からデジタル変換回路部１に転送される信号、つまり、周波数発振同調回路２０から発振された周波数は、デジタル変換回路部１が周波数測定を容易になされるように周波数分配部２７により分けられる。
【００５６】
次は、デジタル変換回路部１で周波数（信号）が処理される過程を説明する。
【００５７】
デジタル変換回路部１は図２に図示した通り、測定データ及びプログラムデータを貯蔵するフラッシュメモリ１２、一時メモリ場所として活用されるSDRAM１３、周波数を測定して各種演算を実行するCPU１１ 、使用者より命令の入力を受けるスイッチ回路（未図示）、入力周波数によって音を発生するブザー１６ｂを含むPWMモジュール１６、測定したデータを演算して、GUI(Graphic User Interface)に表示するLCD１５及びLCDインバータ１４、PC等と通信する通信モジュール１９等で構成されている。
【００５８】
このデジタル変換回路部１には、アナログ回路部２より出力される最終周波数を測定する為の周波数測定アルゴリズムが必要である。これはCPU１１の入出力モジュールを通じて入力された、図６の生体電磁気シグナル感応素材の基準周波数のクロック(clock)信号１周期の間CPUクロックを計数(Count)して周波数を測定する方法を使用する。周波数(F)の測定公式は下記の通りである。
F = 1 / T
T = (CPU Clock Counter) × 1 / (CPU Frequency)
【００５９】
診断（測定）前の状態の時にはセンサー駆動部４の生体電磁気シグナル感応素材の静電容量を基準に周波数発振同調回路(20)により、基準周波数が発振され、センサー駆動部４の生体電磁気シグナル感応素材に、生体電磁気シグナルが感知（入力）される時には、前記素材の静電容量値が増加して、測定される周波数が減少する。この際、基準周波数で減少された周波数を除いて変位周波数が得られる。
【００６０】
このような変位周波数を臨床的に見る時、生体電磁気シグナルの量である。従って、変位周波数が増加すれば、生体電磁気シグナルの量が多いことを意味し、変位周波数が少ないと、生体電磁気シグナルの量が少ないことを意味する。
【００６１】
発明者等により、本発明の診断装置は変位周波数を三段階に分けて表示するようにした。一番目の段階は、生体電磁気シグナルが一般的な動きを表す段階、二番目の段階は生体電磁気シグナルが活発な状態、三番目の段階は生体電磁気シグナルが極めて活発な段階である。
【００６２】
診断（測定）前の状態である場合における、基準周波数を周波数調節部２４により調節しても、周波数をデジタル変換回路部１で転送を受け、演算する過程で基準周波数が正確に維持されず、微細な差が発生することがある。このような現象を調節し、周波数を精密に調節する為に、デジタル変換回路部１にも周波数調節部１６ａが具備されている。これは周波数調整(setting)装置にして図５に図示した通り、素材を具備したセンサー駆動部４と周波数発振同調回路２０、ローパスフィルタ２１、入出力ポートを有するCPU１１ 、PWMモジュール１６、フラッシュメモリ１２等で構成されている。
【００６３】
CPU１１は電源が印加されることにより、アナログ回路部２から周波数の転送を受け、基準周波数を確認する。若し、周波数が基準周波数と異なる場合、周波数CPU１１ により調整される。
【００６４】
本発明による素材を含む診断装置で被検対象者、つまり、生物体の生体電磁気シグナルを測定した時、被検対象者の健康が極めて良好であれば、図１０、図１１のように緑色、黄色を示し、炎症であれば、図１２のように赤色状態が一定して持続される。しかしながら、癌である場合には、図１３のように赤色、黄色等が不安定で、不規則な状態で測定される。
【００６５】
この時、不規則な程度、つまり、変位周波数の変化幅は個人差により、又は癌状態により異なる。これをより細密に測定する為、周波数の読み速度（Sampling Rate)を３種に分類する。図８は素材周波数を10msで読むチャンネルドローモード(Draw Mode)と20msで読むプリスキャンモード(Prescan Mode)を説明し、図９は100msで読む精密モード(Precise Mode)を説明する。
【００６６】
このように測定されたデータは、PC又は診断装置に取付けられたLCD１５に表示される。
【００６７】
上述した通り、生体電磁気シグナル感応素材が具備された診断装置からPCに転送されたデータは、PCと診断装置の無線通信モジュール１９ａ、USBポート１９ｂ、RS-232C１９ｃを利用して、特定データ転送プロトコルで転送される。特定プロトコルは図８のプリスキャンモードと、図９の精密モードに分けられるが、プリスキャンは測定停止信号(Break Signal)が入力される時、つまり、使用者が停止ボタンを押すか又はPCで停止命令を発するまで継続して測定データを転送する。反面、精密モードは多チャンネル素材の全てのデータを10回送った後、使用者が測定ボタンを押すまで待機する。
【００６８】
さらに、本発明の素材から入力された生体電磁気シグナルを、聴覚的に認識できるようにブザー１６ｂを通じて信号を出力する。LCD１５上に表れる色相によってそれぞれ異なる音を発生することにより、聴覚的にも正常、炎症、癌が判断できるようにする。
【００６９】
図４は図１の電源回路部３を示したものであって、電源回路部３ はアダプター３１、バッテリ充電測定回路３２、バッテリ充電回路３３、バッテリ３４、3.3ボルトレギュレータ３５、2.5ボルトレギュレータ３６、５ボルトレギュレータ３７等で構成される。3.3ボルトと、2.5ボルトはデジタル変換回路部１に供給され、５ボルトはアナログ回路部２に供給される。
【００７０】
前記バッテリ３４はNi-MH(Nickel Metal Hybrid)を使用するものであって、充電容量は1200mA/Hであり、本発明による診断装置の消費電流は550mAで約２時間程度継続して作動することができる。
【００７１】
さらに、本発明による診断装置は医療機器であるので、被検対象者（生物体）の安全の為、商用電源から供給される電源を直接使用しない。さらに、アダプター３１を連結しても電源はバッテリ３４から供給される。バッテリ３４の残留容量と充電容量及びバッテリ残留容量を確認する為、バッテリ充電測定回路３２により、バッテリ３４の電圧をCPU１１に戻す(Feed Back)ことにする。
【００７２】
センサー駆動部４により、検知された生体電磁気シグナルは、アナログ回路部２とデジタル変換回路部１等に貯蔵されているアルゴリズムにより分析されて、画面に表示される。
【００７３】
さらに、センサー駆動部４により入力された生体電磁気シグナルは、アナログ回路部２とデジタル変換回路部３及びデジタル変換回路部３内のCPUプログラムに定められたアルゴリズムにより、極めて不規則な画面で表示されると、癌であると診断できる。
【００７４】
さらに、最終結果が変わるたびにブザーに加えられる周波数を異にして、測定者や被検対象者が被検部位の状態を聴覚的でも把握できる。
【００７５】
さらに、センサー駆動部４に入力された生体電磁気シグナルは、アナログ回路部２、デジタル変換回路部１等により処理された後、有線及び無線通信モジュールを通じてPCに転送することができ、該当診断部位、診断結果、病歴等の内容が被検対象者固有の資料に分離され、PCのデータベースに貯蔵できる。
【００７６】
本発明の試験例では、本発明の診断装置を利用して、皮下組織及び腹腔内に癌細胞を移植したマウスに対する癌診断可否を確認した。
【００７７】
本発明の診断装置で被検対象マウスの生体電磁気シグナルを測定した結果、被検対象マウスの健康が極めて良好か又は、良好であれば図１０、図１１のように緑色、黄色を示し、炎症であれば、図１２のように赤色状態が一定して持続される。しかしながら、癌である場合には、図１３のように赤色、黄色等が不安定で、不規則な状態で測定された。
【００７８】
このような方法で３週間皮下組織に癌細胞を移植したマウスを対象に、総656回の測定をした結果、癌細胞接種後初期７日まで総190回測定した内、166回が的中(87.4%)し、190回の内、正常鼠では一度も癌が測定されたことがない。さらに、試験期間中の全体的な結果は、総656回測定した内、629回が的中(95.9%)し、これもまた、総656回の内、正常鼠では一度も癌が測定されたことがなく、発癌による生体電磁気感応に卓越した効果のあることが分かった。
【００７９】
本発明の他の試験例では本発明の診断装置を利用して、腹腔内に血液癌細胞を移植したマウスの癌診断の可否を確認した。その結果、対照群で正常として判定された場合が84.7%であり、残りの15.3%においても炎症のみと判定されただけで、癌と判定された場合は無かった。血液癌細胞を腹腔内に移植したマウスの場合、癌と判定した場合が93.1%であった。結果的に対照群では癌が誘発されないであろうという点と、血液癌細胞移植群の場合、癌が誘発される可能性が高いという点を考慮すれば、発癌による生体電磁気感応に卓越した効果のあることが分かった。
【００８０】
このように、本発明は表皮組織を利用した生体電磁気シグナル感応素材及びこれを利用した診断装置を提供している。
【実施例】
【００８１】
以下、本発明を実施例により詳細に説明する。ただし、下記実施例は本発明を例示するのみ、本発明の内容が下記実施例に限定されるものではない。
【００８２】
＜実施例１：鯉の表皮（鱗）を利用した生体電磁気シグナル感応素材の製作＞
鯉の死体を水道水に漬けて、30℃で７日間放置した。前記死体の鱗を物理的な力を加えて分離した。鱗以外の組織が共に分離された場合、これを切除し、異物質等は除去した後表面の水分を除去した。
【００８３】
分離した鱗を平坦に広げて、10kg/cm2の重圧を加えて、室温で48時間平坦を維持できるように乾燥した後、再度室温（25℃）で水分が完全に除去されるように48時間重圧無しで乾燥した。
【００８４】
鱗に含有された色素顆粒としては、黒色のメラニン、赤色のカロチノイド、白色のグアニン等であるものの、乾燥が完了された鱗はその一部（鱗全体の広さの約75%)が透明なグアニンとカロチノイドであって、残りの部位（鱗全体の広さの約25%)は不透明で、黒色を帯びたメラニンが含有されていた（図１４参照）。これを不透明で黒色を帯びたメラニン色素部分が30%以上含まれるように、径15mmの円形に切断した。切断された素材に対して静電容量及び導電率をそれぞれ静電容量測定器(4263B LCR Meter, Agilent Technologies Ltd., 米国)及びデジタル導電計(Digital conductivity meter; Centurion NDT Inc, 米国)で測定して静電容量が0.1pF乃至100pFの範囲に該当し（実測値6.5pF)、導電率が0.01乃至20nSの範囲に該当される（実測値0.85nS)ものを選別して、素材を完成した。
【００８５】
＜実施例２：鮒の表皮（鱗）を利用した生体電磁気シグナル感応素材の製作＞
鮒の死体を利用したこと以外は実施例１と同一にして素材を完成した。
【００８６】
＜実施例３：鮭の表皮（鱗）を利用した生体電磁気シグナル感応素材の製作＞
鮭の死体を利用したこと以外は実施例１と同一にして素材を完成した。
【００８７】
＜実施例４：鱒の表皮（鱗）を利用した生体電磁気シグナル感応素材の製作＞
鱒の死体を利用したこと以外は実施例１と同一にして素材を完成した。
【００８８】
＜実施例５：亀の表皮（鱗）を利用した生体電磁気シグナル感応素材の製作＞
亀の死体を水道水に漬けて、33℃で28日間放置した。前記死体の鱗を物理的な力を加えて分離した。鱗以外の組織が共に分離された場合、これを切除し、異物質等は除去した後表面の水分を除去した。
【００８９】
分離した鱗を平坦に広げて、10kg/cm2の重圧を加え、室温で48時間平坦が維持できるように乾燥した後、再度室温（25℃）で水分が完全に除去されるように48時間重圧無しで乾燥した。
【００９０】
乾燥が完了された鱗（図１５参照）を直径15mmの円形に切断し、静電容量及び導電率をそれぞれ静電容量測定器及びデジタル導電計で測定して、静電容量が0.1pF乃至100pFの範囲に該当し、導電率が0.01乃至20nSの範囲に該当されるものを選別して、素材を完成した。
【００９１】
＜実施例６：スッポンの表皮（鱗）を利用した生体電磁気シグナル感応素材の製作＞
スッポンの死体を利用したこと以外は実施例５と同一にして素材を完成した。
【００９２】
＜実施例７：鰐の表皮（鱗）を利用した生体電磁気シグナル感応素材の製作＞
死体から分離された鰐の表皮（鱗）を平坦に広げて、10kg/cm2の重圧を加え、室温で48時間平坦が維持できるように乾燥した後、再度室温（25℃）で水分が完全に除去されるように48時間重圧無しで乾燥した。
【００９３】
乾燥が完了された鱗を径15mmの円形に切断して、静電容量及び導電率をそれぞれ静電容量測定器及びデジタル導電計で測定して静電容量が0.1pF乃至100pFの範囲に該当し、導電率が0.01乃至20nSの範囲に該当されるものを選別して素材を完成した。
【００９４】
＜実施例８：蛇の表皮（皮）を利用した生体電磁気シグナル感応素材の製作＞
蛇の死体を水道水に漬けて、33℃で７日間放置し、前記死体の皮を30cmの長さに等分して切断し、異物質を除去した後表面の水分を除去したこと以外は実施例５と同一にして素材を完成した。
【００９５】
＜実施例９：カブト虫の表皮（クチクラ）を利用した生体電磁気シグナル感応素材の製作＞
カブト虫の死体の表皮（クチクラ）を物理的な力を加えて分離した。表皮（クチクラ）以外の組織が共に分離された場合、これを切除し、異物質等は除去した後表皮の径を5mmの円形に切断して、表面の水分を除去した。
【００９６】
前記表皮（クチクラ）を平坦に広げて、5kg/cm2の重圧を加え、室温（25℃）で24時間平坦が維持できるように乾燥した後、再度室温で水分が完全に除去されるように48時間重圧無しで乾燥した。
【００９７】
乾燥が完了した表皮（クチクラ）の静電容量及び導電率を、それぞれ静電容量測定器及びデジタル導電計で測定して静電容量が0.1pF乃至100pFの範囲に該当し、導電率が0.01乃至20nSの範囲に該当するものを選別して素材を完成した。
【００９８】
＜実施例１０：イナゴの表皮（クチクラ）を利用した生体電磁気シグナル感応素材の製作＞
イナゴの死体を利用したこと以外は実施例９と同一にして素材を完成した。
【００９９】
＜実施例１１：黄金虫の表皮（クチクラ）を利用した生体電磁気シグナル感応素材の製作＞
黄金虫の死体を利用したこと以外は実施例９と同一にして素材を完成した。
【０１００】
＜実施例１２：テントウ虫の表皮（クチクラ）を利用した生体電磁気シグナル感応素材の製作＞
テントウ虫の死体を利用したこと以外は実施例９と同一にして素材を完成した。
【０１０１】
＜実施例１３：蟹の表皮（甲殻）を利用した生体電磁気シグナル感応素材の製作＞
蟹の死体の組織、内臓等を物理的な力を加えて分離した。表皮（甲殻）以外の組織、内臓が分離された場合、表皮（甲殻）を水道水に漬けて、33℃で４日間放置し、表皮内部の組織、内臓等の不純物を除去した。蟹の表皮（甲殻）を径15mmの円形に切断して異物質等を除去した後表面の水分を除去した。
【０１０２】
分離した表皮（甲殻）を平坦に広げて、10kg/cm2の重圧を加え、室温で４８時間平坦を維持できるように乾燥した後、再度、室温（25℃）で水分が完全に除去されるように48時間重圧無しで乾燥した。
【０１０３】
乾燥が完了した表皮（甲殻）の静電容量及び導電率を、それぞれて静電容量測定器及びデジタル導電計で測定して静電容量が0.1pF乃至100pFの範囲に該当し、導電率が0.01乃至20nSの範囲に該当するものを選別して素材を完成した。
【０１０４】
＜実施例１４：エビの表皮（甲殻）を利用した生体電磁気シグナル感応素材の製作＞
エビの死体を利用したこと以外は実施例１３と同一にして素材を完成した。
【０１０５】
＜実施例１５：ザリガニの表皮（甲殻）を利用した生体電磁気シグナル感応素材の製作＞
ザリガニの死体を利用したこと以外は実施例１３と同一にして素材を完成した。
【０１０６】
＜実施例１６：生体電磁気シグナル感応素材を利用した診断装置の製造＞
実施例１で製造した生体電磁気シグナル感応素材10個を互いに重ねて図１のセンサー駆動部(Probe)の電極間に固定し、図１乃至図５に具現されたブロック図により生体電磁気シグナルを感応する診断装置を製造した。
【０１０７】
＜試験例１：生体電磁気シグナル感応素材の癌診断可否確認＞
実施例１６で製造した診断装置を利用して、生体電磁気感応可否を癌診断能力測定試験を通じて確認した。
【０１０８】
試験対象マウスとしては、特定病原体不在(SPF)胸腺除去BALB/Cヌードマウス（Athymic BALB/C Nude Mouse）で８週齢の雌((株）中央実験動物、韓国）が使用され、群分離は癌細胞移植当日に測定した体重を順位化して、対照群１群及び皮下移植群５群にして、群当り10匹ずつ分離し、個体識別は飼育箱の識別ラベルとイヤパンチ(ear punch)法を利用した。ただし、試験日程中には群別区分のみにし、群別移植癌種は実験遂行者に認知させなかった。
【０１０９】
試験群の構成は下記表２の通りである。
【表２】
0005478073.tif 000002
マウスの飼育は23±3℃の温度及び55±15%の相対湿度下でなされ、水と飼料を自由に摂取させた。
【０１１０】
癌細胞株には人間から由来した細胞株にして、肺癌(A549)、大腸癌(HCT15)、黒色腫(LOX-IMVI)、前立腺癌(PC-3)、乳房癌(MDA-MB-231)を韓国生命工学研究院から入手して、癌細胞移植に使用した。
【０１１１】
それぞれの癌細胞株は37℃恒温水槽で最大限速く溶かした後、10%のＦＢＳ(牛胎児血清, Fetal Bovine Serum, SigmaAldrich, USA)を含有したRPMI1640(SigmaAldrich, USA)培養液５mlによく掻き混ぜた後、1200rpmで10分間遠心分離した。遠心分離後上澄液を捨てて、分離した細胞をRPMI1640培養液５mlを加えてよく掻き混ぜた後、細胞培養用のフラスコに入れて、37℃ ５% CO2培養器で培養した。
【０１１２】
培養した癌細胞は生理食塩水に1×107細胞/mlで懸濁して、それぞれのマウス当り0.3mlずつ皮下に移植した。対照群には0.3mlの生理食塩水を投与した。
【０１１３】
試験は実施例１６で製造した診断装置を使用して、癌細胞移植初日から群別無作為順に動物の癌発生様相を測定し、本発明の素材を利用した診断装置の診断能力は、マウスの組織病理学的分析を通じた発癌可否を確認して、これを診断装置の結果と比較評価した。  
【０１１４】
測定結果、実施例１６で製造した診断装置の基本周波数は50400Hzで、測定周波数が50400Hz乃至48380Hzの場合は、マウスが極めて健康な状態（緑色）で、48370Hz乃至46790Hzの場合は、マウスが比較的健康な状態（黄色）で、46780Hz以下の場合は、炎症がある状態（赤色）と判断し、黄色と赤色が不規則的に表れる場合、癌と判断した。この際、各判断時の基準点は本発明者等の経験及び予備試験を通じて算出された結果で設定し、該当範囲の周波数値によって、診断装置のCPUで判定するように予め入力された。特に、正常状態では各測定時の測定周波数の差が一定して維持され、炎症状態の場合には、正常状態に比べて低い測定周波数値を有するものの、各測定時の測定周波数の差が一定した値を維持したことと比べて、癌が存在する場合、炎症状態又は、さらに低い測定周波数値を維持していたものが、突然炎症状態の周波数帯域を外れて、正常周波数帯域に上がったり、再び炎症状態の周波数帯域に落ちたりする偏差が大きい測定周波数が表れ、測定時毎の測定値の差が大きかった。
【０１１５】
以上のような方法で癌細胞移植後、腫瘍を肉眼で確認できない７日まで測定した結果は表３の通りである。的中率は対照群の場合、正常と診断された回数／全体の測定回数を、皮下移植群の場合、癌に診断された回数／全体の測定回数で算出し、対照群に対する的中率は93.3%(28回／総30回)、皮下移植群に対する的中率は86.3%(138回／総160回)、全体的には87.4%(166回／総190回)の的中率を示した。腫瘍実測が可能な期間まで含む全体的な結果は表４の通りで、対照群に対する的中率は96.5%(111回／総115回)、皮下移植群に対する的中率は95.7%(518回／総541回)、全体的には95.9%(629回／総656回)のを的中率示した。
【０１１６】
【表３】
0005478073.tif 000003
【０１１７】
【表４】
0005478073.tif 000004
【０１１８】
以上の結果を見れば、生体電磁気シグナル感応素材を利用して製作した診断装置を利用した測定試験は、３週間総656回が実施された。生体電磁気シグナル感応素材を利用して製作した診断装置を使用した測定で、癌細胞接種後、初期７日まで総190回測定の内166回が的中（87.4%)し、正常鼠では一度も癌と測定されたことがない。さらに、全体的な結果は、総656回測定の内、629回が的中(95.9%)し、これもまた、正常鼠では一度も癌と測定されたことがない。
【０１１９】
各マウスの皮下腫瘍の摘出結果、腫瘍が全て形成され、腫瘍に対する組織病理学的検査結果、全て癌組織として判明された。
【０１２０】
一般症状の観察では、全ての動物において癌の成長に伴う典型的な症状の他、特異な点は観察されなかった。黒色腫を移植した群において15日目、18日目及び21日目にそれぞれ１匹ずつ斃死した。
【０１２１】
＜試験例２：生体電磁気シグナル感応素材の血液癌診断可否確認＞
細胞株として韓国生命工学研究院より入手した血液癌(K562)を使用して、マウスの腹腔内に移植したこと以外に、試験例２と同一にして実施例16で製造した診断装置の癌診断能力を試験した。
【０１２２】
試験群の構成は下記表５の通りである。
【表５】
0005478073.tif 000005
【０１２３】
以上のような方法で測定した結果は下記表６の通りである。
【表６】
0005478073.tif 000006
【０１２４】
癌細胞移植後対照群において、正常と判定した場合が84.7%(127回／総150回）であり、残りの15.3%(23回／総150回）でも炎症のみに判定されただけで、癌に判定された場合はなかった。血液癌細胞移植群の場合、癌に判定された場合が93.1%(135回／総145回）であった。しかしながら、病理組織学的に癌発生可否を確証できなかった為、的中率は算出できなかった。血液癌細胞を腹腔内に移植した場合、試験終了時点で試験に使用されたマウスの内、１匹から腹水が観察されたことにより、試験時間を延長して観察したとすれば、癌発生が確認できたことと思われる。
【産業上の利用可能性】
【０１２５】
以上、説明した通り、本発明の素材は生体電磁気シグナルを感応する効果を有する。従って、本発明の生体電磁気シグナル感応素材は、非侵襲的に生体電磁気シグナルを感知する診断装置の製造に利用することができ、癌、免疫欠乏による炎症疾病等で生体電磁気が変換される現象の診断に有効に使用できる。
【図面の簡単な説明】
【０１２６】
【図１】本発明の素材が具備された診断装置の一例を図示したブロック構成図である。
【図２】本発明の診断装置のデジタル変換回路部を示したブロック構成図である。
【図３】本発明の診断装置のセンサー駆動部とアナログ回路部を示したブロック構成図である。
【図４】本発明の診断装置の電源回路部を示したブロック構成図である。
【図５】周波数発振同調回路とその周辺回路を示したブロック構成図である。
【図６】アナログ回路部の周波数発生部から発生される周波数の波形例示図である。
【図７】周波数調節部によりチャンネル周波数をセッティングする過程を表わしたフローチャートである。
【図８】診断装置の測定モードの内、プリスキャンモード(Prescan Mode)である場合の測定方式を説明する為のフローチャートである。
【図９】診断装置の測定モードの内、精密(Precise)モードである場合の測定方式を説明する為のフローチャートである。
【図１０】診断装置により被検対象者が極めて正常状態であるとして診断されたことを表すグラフである。
【図１１】診断装置により被検対象者が正常状態であるとして診断されたことを表すグラフである。
【図１２】診断装置により被検対象者が炎症状態であるとして診断されたことを表すグラフである。
【図１３】診断装置により被検対象者が発癌状態であるとして診断されたことを表すグラフである。
【図１４】鯉の鱗を利用して製造された生体電磁気シグナル感応素材の写真である。
【図１５】亀の鱗を利用して製造された生体電磁気シグナル感応素材の写真である。
【符号の説明】
【０１２７】
１  デジタル変換回路部
２  アナログ回路部
３  電源回路部
４  センサー駆動部
11  CPU
12  フラッシュメモリ
12a  ROM選択部
12b,12c  ROM
13  SDRAM
14  LCDインバータ
15  LCD
16  PWMモジュール
16a  周波数調節部
16b  ブザー
１７  周波数入力部
18  チャンネル選択部
19  通信モジュール
19a  無線通信モジュール
19b  USBポート
19c  RS-232C
20  周波数発振同調回路
21  ローパスフィルタ
22  ８チャンネルマルチプレクサ
23  センサー選択部
24  周波数調節部
25  周波数発生部
26  周波数信号増幅部
27  周波数分配部
31  アダプター
32  バッテリ充電測定回路
33  バッテリ充電回路
34  バッテリ
35  3.3ボルトレギュレータ
36  2.5ボルトレギュレータ
37  ５ボルトレギュレータ
【図１】
0005478073.tif 000007
【図２】
0005478073.tif 000008
【図３】
0005478073.tif 000009
【図４】
0005478073.tif 000010
【図５】
0005478073.tif 000011
【図６】
0005478073.tif 000012
【図７】
0005478073.tif 000013
【図８】
0005478073.tif 000014
【図９】
0005478073.tif 000015
【図１０】
0005478073.tif 000016
【図１１】
0005478073.tif 000017
【図１２】
0005478073.tif 000018
【図１３】
0005478073.tif 000019
【図１４】
0005478073.tif 000020
【図１５】
0005478073.tif 000021